(57)【要約】【課題】アドレス期間を短縮させることのできるプラズマディスプレイパネル及びその駆動方法を提供する。【解決手段】本発明のプラズマディスプレイパネルの駆動方法は、走査線にスキャンパルスが供給される段階と、アドレス電極に前記スキャンパルスと同期するようにデータパルスが供給される段階とを含み、第１アドレス電極Ａ１に供給されるデータパルスは、第３アドレス電極Ａ３に供給されるデータパルスと第３期間Ｔ３の間だけ重なるように供給されることを特徴とする。【選択図】図３ａ
2009116310.tif 000002
【特許請求の範囲】
【請求項１】
走査線にスキャンパルスが供給される段階と、
アドレス電極に前記スキャンパルスと同期するようにデータパルスが供給される段階とを含み、
前記データパルスは前記スキャンパルスよりも先に供給されることを特徴とするプラズマディスプレイパネルの駆動方法。
【請求項２】
前記データパルスの上昇時点が前記スキャンパルスの下降時点よりも早いことを特徴とする請求項１に記載のプラズマディスプレイパネルの駆動方法。
【請求項３】
前記データパルスは前記スキャンパルスよりも広い幅に設定されていることを特徴とする請求項１または請求項２に記載のプラズマディスプレイパネルの駆動方法。
【請求項４】
前記データパルスは４０ｎｓ〜２６０ｎｓの間で前記スキャンパルスよりも広い幅に設定されていることを特徴とする請求項３に記載のプラズマディスプレイパネルの駆動方法。
【請求項５】
現在の走査線に供給される第１スキャンパルスと次の走査線に供給される第２スキャンパルスとが第１期間で重なるように供給される段階と、
前記第１スキャンパルスと同期するように前記アドレス電極に供給される第１データパルスと、前記第２スキャンパルスと同期するように前記アドレス電極に供給される第２データパルスとが第２期間で重なるように供給される段階と
を含むことを特徴とする請求項１に記載のプラズマディスプレイパネルの駆動方法。
【請求項６】
前記第１期間は０ｎｓ〜２２０ｎｓの間に設定されていることを特徴とする請求項５に記載のプラズマディスプレイパネルの駆動方法。
【請求項７】
前記第２期間は４０ｎｓ〜２６０ｎｓの間に設定されていることを特徴とする請求項５または請求項６に記載のプラズマディスプレイパネルの駆動方法。
【請求項８】
アドレス期間において前記アドレス電極に前記データパルスが供給されていないときには、前記アドレス電極に接地電圧源の電圧が供給されることを特徴とする請求項１乃至請求項７のいずれか１項に記載のプラズマディスプレイパネルの駆動方法。
【請求項９】
アドレス期間において前記アドレス電極に前記データパルスが供給されていないときには、前記アドレス電極に接地電圧源よりも高い第１電圧が供給されることを特徴とする請求項１乃至請求項７のいずれか１項に記載のプラズマディスプレイパネルの駆動方法。
【請求項１０】
走査電極にスキャンパルスを供給する段階と、
アドレス電極に前記スキャンパルスと同期した前記スキャンパルスよりも広い幅を有するデータパルスを供給する段階とを含み、
現在供給されているデータパルスは直前に供給されたデータパルスと一部の期間で重なるように供給されることを特徴とするプラズマディスプレイパネルの駆動方法。
【請求項１１】
前記データパルスは前記スキャンパルスよりも４０ｎｓ〜２６０ｎｓだけ広い幅に設定されていることを特徴とする請求項１０に記載のプラズマディスプレイパネルの駆動方法。
【請求項１２】
現在供給されているスキャンパルスは直前に供給されたスキャンパルスと０ｎｓ〜２２０ｎｓの期間のうち特定の期間だけ重なるように供給されることを特徴とする請求項１０または請求項１１に記載のプラズマディスプレイパネルの駆動方法。
【請求項１３】
前記一部の期間は４０ｎｓ〜２６０ｎｓの間に設定されることを特徴とする請求項１０乃至請求項１２のいずれか１項に記載のプラズマディスプレイパネルの駆動方法。
【請求項１４】
アドレス期間において前記アドレス電極に前記データパルスが供給されていないときには、前記アドレス電極に接地電圧源の電圧が供給されることを特徴とする請求項１０乃至請求項１３のいずれか１項に記載のプラズマディスプレイパネルの駆動方法。
【請求項１５】
アドレス期間において前記アドレス電極に前記データパルスが供給されていないときには、前記アドレス電極に接地電圧源よりも高い第１電圧が供給されることを特徴とする請求項１０乃至請求項１３のいずれか１項に記載のプラズマディスプレイパネルの駆動方法。
【請求項１６】
走査電極に走査信号を供給するための走査駆動部と、
アドレス電圧源と複数のアドレス電極との間にそれぞれ接続され、前記アドレス電圧源からのアドレス電圧を供給するためにターンオンされる第１スイッチと、
エネルギー回収キャパシタと前記複数のアドレス電極との間にそれぞれ接続され、前記アドレス電極に供給されるデータパルスの電圧上昇時及び電圧下降時にターンオンされる第２スイッチと、
接地電圧源と前記複数のアドレス電極との間にそれぞれ接続され、前記接地電圧源の電圧を供給するためにターンオンされる第３スイッチとを備え、
前記データパルスの上昇時点と下降時点が重ならないように前記第２スイッチのターンオン及びターンオフのタイミングを制御することを特徴とするプラズマディスプレイパネル。
【発明の詳細な説明】
【技術分野】
【０００１】
本発明は、プラズマディスプレイパネル及びその駆動方法に関し、特に、アドレス期間を短縮することができるようにしたプラズマディスプレイパネル及びその駆動方法に関する。
【背景技術】
【０００２】
図１は、従来のプラズマディスプレイパネルの１フレームを示す図である。
【０００３】
図１を参照すれば、プラズマディスプレイパネルの１フレームは、多数のサブフィールドＳＦ１〜ＳＦ８に分けられて駆動されている。それぞれのサブフィールドは全画面を初期化するためのリセット期間、放電セルを選択するためのアドレス期間及びアドレス期間に選択された放電セルで所定の時間、放電を起こすためのサステイン期間に分けられる。
【０００４】
リセット期間中には走査電極へランプパルスを供給して次のアドレス放電が安定的に行われるように放電セルに所定の壁電荷を形成する。このようなリセット期間中に全画面の放電セルが初期化される。
【０００５】
アドレス期間中には走査電極へスキャンパルスを供給し、スキャンパルスと同期するようにアドレス電極にデータパルスを供給する。これにより、データパルスが供給された放電セルでアドレス放電が発生して所定の壁電荷が形成される。
【０００６】
サステイン期間中には走査電極及び維持電極へサステインパルスを交互に供給してアドレス放電によって選択された放電セルでサステイン放電が起こるようにする。ここで、サステイン放電が発生する回数に対応して所定輝度の画像がパネルに表示される。
【０００７】
図２は、アドレス期間中に供給される駆動波形を示す図である。図２を説明するにあたり、説明の便宜上、アドレス電極を３つ、走査電極を５つと仮定する。
【０００８】
図２を参照すれば、アドレス期間中に走査電極Ｙ１〜Ｙ５にはスキャンパルスが順次供給される。そして、スキャンパルスが供給される度にアドレス電極Ａ１〜Ａ３にデータパルスが供給される。ここで、データパルスは外部からのデータに対応して多様な形態で供給される。図２において、「Ｈ」はデータに対応してデータパルスが供給されることを意味し、「Ｌ」はデータに対応してデータパルスが供給されないことを意味する。
【０００９】
図２では、スキャンパルスが供給される際にスキャンパルスと同じ幅を有するデータパルスが供給されて放電セルでアドレス放電が起きている。しかしながら、図２のように、走査電極Ｙ１〜Ｙ５にスキャンパルスが順次供給され、スキャンパルスと同じ幅を有するデータパルスがアドレス電極Ａ１〜Ａ３に供給されると、各サブフィールドＳＦ１〜ＳＦ８期間においてアドレス期間の占める割合が大きくなるという短所がある。実際に、多数の走査電極Ｙを含むＦＵＬＬ ＨＤ級のパネルではアドレス期間の増加により、実際に輝度に寄与するサステイン期間に充分な時間を割り当てることができなくなるという問題が発生している。
【特許文献１】韓国公開特許２００７−００１９４９０号
【特許文献２】韓国公開特許２００４−０００２４８９号
【特許文献３】特開２００７−０７８９４６号
【特許文献４】特開２００１−０５１６４９号
【発明の開示】
【発明が解決しようとする課題】
【００１０】
本発明は上記事情に鑑みてなされたものであって、その目的は、アドレス期間を短縮することができるようにしたプラズマディスプレイパネル及びその駆動方法を提供することにある。
【課題を解決するための手段】
【００１１】
前記目的を達成するために、本発明の実施形態に係るプラズマディスプレイパネルの駆動方法は、走査線にスキャンパルスが供給される段階と、アドレス電極に前記スキャンパルスと同期するようにデータパルスが供給される段階とを含み、前記データパルスは前記スキャンパルスよりも先に供給されることを特徴とする。
【００１２】
好ましくは、前記データパルスの上昇時点が前記スキャンパルスの下降時点よりも早くなるようにする。また、前記データパルスは前記スキャンパルスよりも広い幅に設定される。前記データパルスは４０ｎｓ〜２６０ｎｓの間で前記スキャンパルスよりも広い幅に設定される。
【００１３】
現在の走査線に供給される第１スキャンパルスと次の走査線に供給される第２スキャンパルスとが第１期間で重なるように供給される段階と、前記第１スキャンパルスと同期するようにアドレス電極に供給される第１データパルスと、前記第２スキャンパルスと同期するように前記アドレス電極に供給される第２データパルスとが第２期間で重なるように供給される段階とを含んでいる。好ましくは、前記第１期間は０ｎｓ〜２２０ｎｓの間に設定され、前記第２期間は４０ｎｓ〜２６０ｎｓの間に設定される。
【００１４】
アドレス期間において前記アドレス電極に前記データパルスが供給されていないときには、前記アドレス電極に接地電圧源の電圧が供給されてもよいし、前記アドレス電極に接地電圧源よりも高い第１電圧が供給されてもよい。
【００１５】
本発明の他の実施形態に係るプラズマディスプレイパネルの駆動方法は、走査電極にスキャンパルスを供給する段階と、アドレス電極に前記スキャンパルスと同期した前記スキャンパルスよりも広い幅を有するデータパルスを供給する段階とを含み、現在供給されているデータパルスは直前に供給されたデータパルスと一部の期間で重なるように供給されることを特徴とする。
【００１６】
好ましくは、前記データパルスは前記スキャンパルスよりも４０ｎｓ〜２６０ｎｓだけ広い幅に設定される。現在供給されているスキャンパルスは直前に供給されたスキャンパルスと０ｎｓ〜２２０ｎｓの期間のうち特定の期間だけ重なるように供給される。また、前記一部の期間は４０ｎｓ〜２６０ｎｓの間に設定される。アドレス期間において前記アドレス電極に前記データパルスが供給されていないときには、前記アドレス電極に接地電圧源の電圧が供給されてもよいし、前記アドレス電極に接地電圧源よりも高い第１電圧が供給されてもよい。
【００１７】
本発明の実施形態に係るプラズマディスプレイパネルは、走査電極に走査信号を供給するための走査駆動部と、アドレス電圧源と複数のアドレス電極との間にそれぞれ接続され、前記アドレス電圧源からのアドレス電圧を供給するためにターンオンされる第１スイッチと、エネルギー回収キャパシタと前記複数のアドレス電極との間にそれぞれ接続され、前記アドレス電極に供給されるデータパルスの電圧上昇時及び電圧下降時にターンオンされる第２スイッチと、接地電圧源と前記複数のアドレス電極との間にそれぞれ接続され、前記接地電圧源の電圧を供給するためにターンオンされる第３スイッチとを備え、前記データパルスの上昇時点と下降時点が重ならないように前記第２スイッチのターンオン及びターンオフのタイミングを制御することを特徴とする。
【発明の効果】
【００１８】
本発明のプラズマディスプレイパネル及びその駆動方法によれば、以前のデータパルスと現在のデータパルスを所定時間重畳させて供給するので、アドレス期間を短縮することができるという効果を発揮する。また、本発明では、データパルスの幅をスキャンパルスの幅よりも広く設定するので、安定的にアドレス放電を発生させることができるという長所がある。さらに、本発明では、データパルスが供給されていないときに、アドレス電極の電圧を接地電圧源ＧＮＤよりも高くなるように設定するので、製造コストを低減できるという効果も発揮する。
【発明を実施するための最良の形態】
【００１９】
以下、図面を参照して本発明に係る好ましい実施形態を説明する。ここで、第１構成要素と第２構成要素が連結されると説明する場合に、第１構成要素は第２構成要素と直接連結されていてもよく、第３構成要素を介して第２構成要素と間接的に連結されていてもよい。また、本発明の完全な理解のために必須でない構成要素は、明確性を図るために省略する。更に、同一部分には同一符号を付すものとする。
【００２０】
図３ａは、本発明の実施形態に係る駆動方法においてアドレス期間中に供給される駆動波形を示す図である。図３ａを説明するにあたり、説明の便宜上、アドレス電極が３つ、走査電極が５つであると仮定する。そして、第１アドレス電極にはＨ、Ｌ、Ｌ、Ｈ、Ｌのデータに対応してデータパルスが供給され、第２アドレス電極にはＨ、Ｈ、Ｌ、Ｌ、Ｌのデータに対応してデータパルスが供給されると仮定する。そして、第３アドレス電極にはＬ、Ｈ、Ｌ、Ｌ、Ｈのデータに対応してデータパルスが供給されると仮定する。この場合に、Ｈのデータはデータパルス（ハイ電圧）が供給され、Ｌのデータはデータパルスが供給されないことを示す。
【００２１】
図３ａを参照すれば、本発明の実施形態に係る駆動方法においてアドレス期間中に走査電極Ｙ１〜Ｙ５にスキャンパルスが供給され、アドレス電極Ａ１〜Ａ３にスキャンパルスと同期するようにデータパルスが供給される。ここで、走査線Ｙ１〜Ｙ５にスキャンパルスが順次供給されるように示したが、本発明はこれに限定されるわけではない。一例として、スキャンパルスをインターレース方式で供給することも可能である。
【００２２】
このような本発明において、データパルスは一部の期間重なるように供給される。即ち、図３ｂに示すように、ｉ（ｉは自然数）番目の走査線Ｙｉに供給される第１スキャンパルスに対応して供給される第１データパルスは、ｉ＋１番目の走査線Ｙｉ＋１に供給される第２スキャンパルスに対応して供給される第２データパルスと第３期間Ｔ３の間だけ重なるように供給される。
【００２３】
このようにデータパルスが第３期間Ｔ３の間に重なると、アドレス期間を短縮できるという長所がある。即ち、データパルスが第３期間Ｔ３の間だけ重なると、第３期間Ｔ３の分だけデータパルスの供給時間を短縮することができる。これにより、アドレス期間を短縮することが可能となる。特に、多数の走査電極を含むパネルほど、短縮するアドレス期間が増加するので効果的である。これにより、データパルスが一部で重なった駆動波形を大型パネルなどに容易に適用することが可能となる。
【００２４】
一方、データパルスの重畳時間Ｔ３は、４０ｎｓ〜２６０ｎｓの間に設定することが可能である。実験的にデータパルスの重畳時間Ｔ３を４０ｎｓ以上に設定すると、放電遅延時間を安定的に短縮することができる。そして、データパルスの重畳時間Ｔ３が２６０ｎｓを超える場合には、アドレス放電を安定的に起こすことができなくなる。従って、本発明においては、直前のデータパルスと現在のデータパルスを４０ｎｓ〜２６０ｎｓの期間のうち特定の期間だけ重畳させることによって、アドレス期間を短縮する。
【００２５】
また、本発明においては、データパルスのパルス幅Ｔ１をスキャンパルスのパルス幅Ｔ２よりも広く設定する。ここで、スキャンパルスのパルス幅Ｔ２からデータパルスのパルス幅Ｔ１を引いた値をＸ（＝Ｔ２−Ｔ１）と仮定した場合に、放電遅延は図４のように観察される。
【００２６】
図４を参照すれば、Ｘの値が小さくなるにしたがって放電遅延が減少し、Ｘの値が増加するにしたがって放電遅延が増加することが分かる。一方、図４のグラフでは式１のような３次多項式が導き出される。
【００２７】
［数１］
Ｙ＝１.４３Ｅ−０６Ｘ３＋５.９３Ｅ−０４Ｘ２＋２.３７Ｅ−０１Ｘ＋５.７１Ｅ＋０２  ．．．．．．．．．式（１）
この式１において導関数（特性の傾き）は図５のように示すことができる。図５を傾きの観点から見ると、領域１と領域２に分けることができる。領域１は［ｘ＝−１２０〜−４０］の領域であり、領域２は［ｘ＝−４０〜８０］の領域である。ここで、領域２よりは領域１でＸが小さくなるにしたがって放電遅延時間が減少する。
【００２８】
従って、本発明においては、Ｘを−４０ｎｓ以下に設定する。すなわち、Ｘ（＝Ｔ２−Ｔ１）≦−４０、Ｔ１−Ｔ２≧４０となる。一方で、Ｘが−２６０ｎｓを超える場合、すなわち、Ｘ（＝Ｔ２−Ｔ１）＜−２６０、Ｔ１−Ｔ２＞２６０の場合には、スキャンパルスの幅が小さくなり過ぎて誤放電が発生し得るので、Ｔ１−Ｔ２≦２６０とする。
【００２９】
従って、本発明においては、データパルスのパルス幅Ｔ１をスキャンパルスのパルス幅Ｔ２よりも広く設定し、その範囲を４０ｎｓ〜２６０ｎｓに設定する。
【００３０】
この場合、データパルスとスキャンパルスによって安定的にアドレス放電が発生し得るように、データパルスの上昇時点ｔ１０（図３ａ）をスキャンパルスの下降時点ｔ１１よりも早くなるように設定する。そして、スキャンパルスはデータパルスと重なり、データパルスが供給されている時間内に供給されるようにする。
【００３１】
また、本発明においては、ｉ番目の走査電極Ｙｉに供給されるスキャンパルスと、ｉ＋１番目の走査電極Ｙｉ+１に供給されるスキャンパルスとが第４期間Ｔ４の間だけ重なるようにする。ここで、第４期間Ｔ４は０ｎｓ〜２２０ｎｓの間に設定することが可能である。実験的に、第４期間Ｔ４が２２０ｎｓを超える場合には、安定的にアドレス放電が起きないので、第４期間Ｔ４は０ｎｓ〜２２０ｎｓの間に設定する必要がある。
【００３２】
前述したように、本発明においては、データパルスを一部の期間重畳して供給するので、アドレス期間を短縮することができる。また、本発明においては、データパルスの幅Ｔ１をスキャンパルスの幅Ｔ２よりも広い幅に設定するので、放電遅延を最小化しながら、安定的にアドレス放電を発生させることができる。
【００３３】
図６は、本発明の実施形態に係るプラズマディスプレイパネルを示す図である。
【００３４】
図６を参照すれば、本発明の実施形態に係るプラズマディスプレイパネルは、表示パネル１１２、アドレス駆動部１０２、維持駆動部１０４及び走査駆動部１０６を備えている。
【００３５】
表示パネル１１２は、互いに平行に形成された走査電極Ｙ１〜Ｙｎ及び維持電極Ｘ１〜Ｘｎ、走査電極Ｙ１〜Ｙｎと交差する方向に形成されたアドレス電極Ａ１〜Ａｍを備えている。ここで、走査電極Ｙ１〜Ｙｎ、維持電極Ｘ１〜Ｘｎ及びアドレス電極Ａ１〜Ａｍの交差する部分には放電セル１１４が位置している。放電セル１１４を構成する電極Ｘ、Ｙ、Ａの構造は、本発明の実施形態であり、本発明はこれに限定されない。
【００３６】
維持駆動部１０４は、サブフィールドのサステイン期間中に維持電極Ｘ１〜Ｘｎへサステインパルスを供給する。
【００３７】
走査駆動部１０６は、サブフィールドのリセット期間に走査電極Ｙ１〜Ｙｎへランプパルスを供給し、アドレス期間に走査電極Ｙ１〜Ｙｎへスキャンパルスを供給する。さらに、走査駆動部１０６はサブフィールドのサステイン期間中に維持電極Ｘ１〜Ｘｎと交互となるように走査電極Ｙ１〜Ｙｎへサステインパルスを供給する。ここで、走査駆動部１０６はアドレス期間中に供給されるスキャンパルスが第４期間Ｔ４の間だけ重なるように供給する。
【００３８】
アドレス駆動部１０２は、アドレス期間にアドレス電極Ａ１〜Ａｍへデータパルスを供給して発光する放電セル１１４（または発光しない放電セル）を選択する。ここで、アドレス駆動部１０２はデータパルスが第３期間Ｔ３の間だけ重なるように供給する。そのために、アドレス駆動部１０２の内部には図示していない出力端が含まれている。
【００３９】
図７は、アドレス電極にデータパルスを供給するための出力端を概略的に示す図である。
【００４０】
図７を参照すれば、本発明の実施形態に係る出力端は、アドレス電極Ａ１〜Ａｍのそれぞれとアドレス電圧源Ｖａとの間に接続された第１スイッチＳＷ１１〜ＳＷ１ｍと、アドレス電極Ａ１〜Ａｍのそれぞれとエネルギー回収キャパシタＣｅｘとの間に接続された第２スイッチＳＷ２１〜ＳＷ２ｍと、アドレス電極Ａ１〜Ａｍのそれぞれと接地電圧源ＧＮＤとの間に接続された第３スイッチＳＷ３１〜ＳＷ３ｍとを備えている。
【００４１】
第１スイッチＳＷ１１〜ＳＷ１ｍは、外部から供給される第１制御信号に対応して選択的にターンオンされると、アドレス電圧Ｖａをアドレス電極Ａ１〜Ａｍに供給する。
【００４２】
第２スイッチＳＷ２１〜ＳＷ２ｍは、外部から供給される第２制御信号に対応して選択的にターンオンされると、エネルギー回収キャパシタＣｅｘに充電された電圧をアドレス電極Ａ１〜Ａｍに供給する。ここで、図７ではエネルギー回収キャパシタＣｅｘが共通に第２スイッチＳＷ２１〜ＳＷ２ｍに接続されるように示したが、本発明はこれに限定されるものではない。例えば、第２スイッチＳＷ２１〜ＳＷ２ｍのそれぞれに別途のエネルギー回収キャパシタＣｅｘが接続されるようにしてもよい。また、第２スイッチＳＷ２１〜ＳＷ２ｍとエネルギー回収キャパシタＣｅｘとの間には図示していないインダクタを更に設置することが可能である。
【００４３】
第３スイッチＳＷ３１〜ＳＷ３ｍは、外部から供給される第３制御信号に対応して選択的にターンオンされると、接地電圧源ＧＮＤの電圧をアドレス電極Ａ１〜Ａｍに供給する。
【００４４】
このような本発明に係る出力端の動作過程について、図８を参照して詳細に説明する。まず、第１アドレス電極Ａ１にはＬ、Ｌ、Ｌのデータに対応するデータパルスが供給され、第２アドレス電極Ａ２にはＬ、Ｈ、Ｌのデータに対応するデータパルスが供給されると仮定する。そして、第３アドレス電極Ａ３にはＨ、Ｌ、Ｈのデータに対応するデータパルスが供給されると仮定する。
【００４５】
まず、Ｌ、Ｌ、Ｌのデータが供給される第１アドレス電極Ａ１にはデータパルスが供給されない。従って、第１アドレス電極Ａ１に接続された第３１スイッチＳＷ３１がターンオン状態を維持しながら、接地電圧源ＧＮＤの電圧が第１アドレス電極Ａ１に供給される。
【００４６】
次に、第２アドレス電極Ａ２にＬのデータが供給されるときには、第３２スイッチＳＷ３２がターンオンされて接地電圧源ＧＮＤの電圧が第２アドレス電極Ａ２に供給される。そして、Ｈのデータに対応する時点になると、第２２スイッチＳＷ２２がターンオンされてエネルギー回収キャパシタＣｅｘに充電されていた電圧が第２アドレス電極Ａ２に供給される。これにより、第２アドレス電極Ａ２の電圧が上昇する。その後、第１２スイッチＳＷ１２がターンオンされると、第２アドレス電極Ａ２にアドレス電圧Ｖａ、即ちデータパルスが供給される。
【００４７】
こうして第２アドレス電極Ａ２にデータパルスが供給された後、Ｌのデータに対応する時点になると、第２２スイッチＳＷ２２がターンオンされる。第２２スイッチＳＷ２２がターンオンされると、第２アドレス電極Ａ２に供給されていた一部の電圧がエネルギー回収キャパシタＣｅｘに回収される。これにより、第２アドレス電極Ａ２の電圧が下降する。その後、第３２スイッチＳＷ３２がターンオンされて第２アドレス電極Ａ２に接地電圧源ＧＮＤの電圧が供給される。
【００４８】
次に、第３アドレス電極Ａ３にはＨのデータに対応する時点に第１３スイッチＳＷ１３がターンオンされてデータパルスが供給される。そして、Ｌのデータに対応する時点になると、第２３スイッチＳＷ２３がターンオンされてエネルギー回収キャパシタＣｅｘに一部の電圧が回収され、これによって第３アドレス電極Ａ３の電圧が下降する。その後、第３３スイッチＳＷ３３がターンオンされて第３アドレス電極Ａ３に接地電圧源ＧＮＤの電圧が供給される。一方、本発明において、第２３スイッチＳＷ２３がターンオンされる時点は第２２スイッチＳＷ２２がターンオンされる時点よりも遅くなるように設定されている。これにより、データパルスが一部で重なるように供給されることになる。
【００４９】
第３アドレス電極Ａ３に接地電圧源ＧＮＤの電圧が供給された後、Ｈのデータに対応する時点になると、第２３スイッチＳＷ２３がターンオンされる。第２３スイッチＳＷ２３がターンオンされると、エネルギー回収キャパシタＣｅｘの電圧が第３アドレス電極Ａ３に供給される。これによって第３アドレス電極Ａ３の電圧が上昇する。その後、第１３スイッチＳＷ１３がターンオンされてデータパルスが第３アドレス電極Ａ３に供給される。一方、第２３スイッチＳＷ２３のターンオンされる時点は第２２スイッチＳＷ２２のターンオンされる時点よりも早くなるように設定されている。これにより、データパルスが一部で重なるように供給されることになる。
【００５０】
前述したように、本発明の実施形態に係る出力端では第２スイッチＳＷ２１〜ＳＷ２ｍのタイミングを制御してデータパルスが互いに重なって供給されるようにしている。即ち、アドレス電極Ａにデータパルスを供給するためにエネルギー回収キャパシタＣｅｘに充電されていた電圧をアドレス電極Ａに供給するタイミングと、アドレス電極Ａに接地電圧源ＧＮＤの電圧を供給するためにエネルギー回収キャパシタＣｅｘに電圧を回収するタイミングとが、互いに重なることがないように設定されている。即ち、データパルスが上昇する時点と、下降する時点とが互いに重ならないように設定することによって、データパルスが重なるように供給することができる。
【００５１】
図９は、本発明の他の実施形態によってアドレス期間に供給される駆動波形を示す図である。図９を説明するにあたり、図３ａと同一の部分については詳細な説明を省略する。
【００５２】
図９を参照すれば、データパルスが供給されるときに、アドレス電極Ａ１〜Ａ３にアドレス電圧Ｖａが供給され、データパルスが供給されないときに、第１電圧Ｖ１が供給されている。ここで、第１電圧Ｖ１は接地電圧源ＧＮＤの電圧よりも高い電圧に設定されている。このように、第１電圧Ｖ１が接地電圧源ＧＮＤよりも高い電圧に設定されていると、アドレス駆動部１０２に含まれる回路素子の耐圧を下げることができる。これにより、製造コストを低減することが可能となる。
【００５３】
即ち、図３ａに示す駆動波形の場合では、接地電圧源ＧＮＤからアドレス電圧Ｖａ（例えば、６０Ｖ）にデータパルスが上昇する。この場合、略６０Ｖを基準として耐圧は１００Ｖ程度に設定される。しかし、図９に示すように、第１電圧Ｖ１（例えば、１５Ｖ）からアドレス電圧Ｖａにデータパルスが上昇する場合には、４５（６０−１５）Ｖを基準として耐圧が６０Ｖに設定される。これにより、製造コストを低減することができるという長所を得られることになる。
【００５４】
以上説明したように、本発明の最も好ましい実施形態について説明したが、本発明は上記した記載事項に限定されるものではなく、特許請求の範囲に記載され、または明細書に開示された発明の要旨に基づき、当業者において様々な変形や変更が可能であることはもちろんであり、このような変形や変更が本発明の範囲に含まれることは言うまでもないことである。
【図面の簡単な説明】
【００５５】
【図１】一般のプラズマディスプレイパネルにおける１フレームを示す図である。
【図２】図１に示すアドレス期間中に供給される駆動波形を示す波形図である。
【図３ａ】本発明の実施形態に係る駆動方法によってアドレス期間中に供給される駆動波形を示す波形図である。
【図３ｂ】本発明の実施形態に係る駆動方法によってアドレス期間中に供給される駆動波形を示す波形図である。
【図４】データパルス及びスキャンパルスの幅に対応する放電遅延を示すグラフである。
【図５】データパルス及びスキャンパルスの幅に対応する放電遅延の傾きを示すグラフである。
【図６】本発明の実施形態に係るプラズマディスプレイパネルを示す図である。
【図７】図６に示すアドレス駆動部に含まれる出力端の構成を示す回路図である。
【図８】図７に示す出力端によって供給されるデータパルスを示す波形図である。
【図９】本発明の他の実施形態に係る駆動方法によってアドレス期間中に供給される駆動波形を示す波形図である。
【符号の説明】
【００５６】
１０２  アドレス駆動部
１０４  維持駆動部
１０６  走査駆動部
【図１】
2009116310.tif 000003
【図２】
2009116310.tif 000004
【図３ａ】
2009116310.tif 000005
【図３ｂ】
2009116310.tif 000006
【図４】
2009116310.tif 000007
【図５】
2009116310.tif 000008
【図６】
2009116310.tif 000009
【図７】
2009116310.tif 000010
【図８】
2009116310.tif 000011
【図９】
2009116310.tif 000012